(57)【要約】【課題】減速走行中の路面抵抗を考慮して、減速エネルギーを適切に回生しつつ、低μ路での走行安定性を確保すること。【解決手段】前輪および後輪のうちの少なくともどちらか一方に回生制動力を付与する回生ブレーキ装置と、車輪に油圧制動力を付与する油圧ブレーキ装置と、回生ブレーキ装置と油圧ブレーキ装置とを制御する制御部と、を備える車両の制動力制御装置であって、制御部は、要求減速度が閾値未満の場合には、車輪に付与される制動力として、少なくとも回生制動力を発生させ、要求減速度が閾値以上の場合には、回生制動力および油圧制動力を発生させるとともに要求減速度が大きくなるほど油圧制動力の割合が大きくなるように制御する協調制御手段と、走行中の路面抵抗に応じて閾値の大きさを変更する可変手段と、を有し、可変手段は、路面抵抗が所定値よりも低い場合には、路面抵抗が所定値以上の場合に比べて、閾値を低い値に設定する。【選択図】図５
2020111245.tif 000002
【特許請求の範囲】
【請求項１】
前輪および後輪のうちの少なくともどちらか一方に回生制動力を付与する回生ブレーキ装置と、
前記前輪および前記後輪に油圧制動力を付与する油圧ブレーキ装置と、
前記回生ブレーキ装置と前記油圧ブレーキ装置との協調制御を実行する制御部と、
を備える車両の制動力制御装置であって、
前記制御部は、
要求減速度が閾値未満の場合には、車輪に付与される制動力として、少なくとも前記回生制動力を発生させ、前記要求減速度が閾値以上の場合には、前記回生制動力および前記油圧制動力を発生させるとともに前記要求減速度が大きくなるほど前記油圧制動力の割合が大きくなるように制御する協調制御手段と、
走行中の路面抵抗に応じて前記閾値の大きさを変更する可変手段と、
を有し、
前記可変手段は、前記路面抵抗が所定値よりも低い場合には、前記路面抵抗が所定値以上の場合に比べて、前記閾値を低い値に設定する
ことを特徴とする車両の制動力制御装置。
【請求項２】
前記協調制御手段は、前記要求減速度が閾値未満の場合、前記車輪に付与される制動力として、前記回生制動力のみを発生させる
ことを特徴とする請求項１に記載の車両の制動力制御装置。
【請求項３】
前記油圧ブレーキ装置は、前記前輪の制動力と前記後輪の制動力との分配比が一定となるように構成された油圧回路を有し、
前記協調制御手段は、前記要求減速度が閾値以上の場合、前記回生制動力を前記要求減速度が閾値未満の場合に比べて減らし、かつ前記油圧制動力を前記要求減速度が閾値未満の場合と比べて増やす
ことを特徴とする請求項１または２に記載の車両の制動力制御装置。
【発明の詳細な説明】
【技術分野】
【０００１】
本発明は、車両の制動力制御装置に関する。
【背景技術】
【０００２】
特許文献１には、回生ブレーキ装置と油圧ブレーキ装置とを備える車両の制動力制御装置において、要求減速度が小さい領域（ブレーキペダル操作量が少ない領域）では回生制動力のみを発生させ、要求減速度が大きい領域（ブレーキペダル操作量が多い領域）では回生制動力および油圧制動力を発生させることが開示されている。
【先行技術文献】
【特許文献】
【０００３】
【特許文献１】特開２０１２−０８１９１７号公報
【発明の概要】
【発明が解決しようとする課題】
【０００４】
回生ブレーキ装置を備える車両では、電費や燃費を向上させるために、減速エネルギーをできるだけ回生したいので、回生制動力の割合を大きくすることが行われている。特許文献１に記載の構成では、ブレーキフィーリングを向上させる目的で、油圧ブレーキ装置を作動させる前に、回生ブレーキ装置による回生制動力を発生させているが、走行中の路面抵抗の大きさを考慮したものではなかった。
【０００５】
例えば、制動力をゆっくりと増加させながら減速走行中に、路面抵抗が大きい路面（ドライ路面）から路面抵抗が小さい路面（低μ路）に突入した際、回生制動力が低μ路でのロック限界よりも大きい場合には、タイヤはスリップしてしまう。タイヤがスリップすると、制御装置は回生制動力をゼロにして油圧制動力にすり替えを行うものの、モータの応答性と油圧ブレーキ装置の応答性に差があるため、制動力が一時的に低下してしまう。また、制御装置によってはタイヤのスリップを検出してからでないと、回生制動力と油圧制動力との配分を変更できないものもある。
【０００６】
一方、これを防止するために最初から回生制動力をロック限界よりも小さく設定すると、路面抵抗が大きい路面（ドライ路面）を走行中に減速する場合には、要求減速度が比較的大きい領域まで回生制動力のみで対応できるにもかかわらず、油圧制動力を発生させることになる。そのため、油圧制動力の分だけ、減速エネルギーの回生量が減り、電費と燃費を悪化させる虞がある。このように、電費および燃費の観点と、車両安定性の観点で改善の余地がある。
【０００７】
本発明は、上記事情に鑑みてなされたものであって、減速走行中の路面抵抗を考慮して、減速エネルギーを適切に回生しつつ、低μ路での走行安定性を確保することができる車両の制動力制御装置を提供することを目的とする。
【課題を解決するための手段】
【０００８】
本発明は、前輪および後輪のうちの少なくともどちらか一方に回生制動力を付与する回生ブレーキ装置と、前記前輪および前記後輪に油圧制動力を付与する油圧ブレーキ装置と、前記回生ブレーキ装置と前記油圧ブレーキ装置との協調制御を実行する制御部と、を備える車両の制動力制御装置であって、前記制御部は、要求減速度が閾値未満の場合には、車輪に付与される制動力として、少なくとも前記回生制動力を発生させ、前記要求減速度が閾値以上の場合には、前記回生制動力および前記油圧制動力を発生させるとともに前記要求減速度が大きくなるほど前記油圧制動力の割合が大きくなるように制御する協調制御手段と、走行中の路面抵抗に応じて前記閾値の大きさを変更する可変手段と、を有し、前記可変手段は、前記路面抵抗が所定値よりも低い場合には、前記路面抵抗が所定値以上の場合に比べて、前記閾値を低い値に設定することを特徴とする。
【０００９】
また、前記協調制御手段は、前記要求減速度が閾値未満の場合、前記車輪に付与される制動力として、前記回生制動力のみを発生させてもよい。
【００１０】
この構成によれば、要求減速度が閾値未満の場合に回生制動力のみで制動することになるため、減速エネルギーの回生量を多くすることができ、燃費および電費が向上する。
【００１１】
また、前記油圧ブレーキ装置は、前記前輪の制動力と前記後輪の制動力との分配比が一定となるように構成された油圧回路を有し、前記協調制御手段は、前記要求減速度が閾値以上の場合、前記回生制動力を前記要求減速度が閾値未満の場合に比べて減らし、かつ前記油圧制動力を前記要求減速度が閾値未満の場合と比べて増やしてもよい。
【００１２】
この構成によれば、油圧制動力について前輪と後輪との分配比が固定されている場合にも、回生ブレーキ装置が作動することによるエネルギー回生量を確保しつつ、走行抵抗が低い路面での走行安定性を確保することができる。
【発明の効果】
【００１３】
本発明では、走行中の路面抵抗に応じて、回生制動力と油圧制動力との配分を制御する際に用いる閾値の大きさを変化させることができる。路面抵抗が高い場合は閾値を大きくするので、要求減速度が比較的大きい領域まで回生制動力のみで対応可能になり、燃費および電費が向上する。また、路面抵抗が低い場合は閾値を小さくするので、要求駆動力が比較的小さい領域でも回生制動力と油圧制動力を両方とも発生させることになり、スリップを抑制することができる。これにより、減速エネルギーを回生しつつ、低μ路での走行安定性を確保することができる。
【図面の簡単な説明】
【００１４】
【図１】図１は、実施形態の車両を模式的に示すスケルトン図である。
【図２】図２は、電子制御装置の構成を説明するための機能ブロック図である。
【図３】図３は、ブレーキ配分マップにおける基準マップを示す図である。
【図４】図４は、ブレーキ配分マップにおける低μ路用マップを示す図である。
【図５】図５は、制動力制御フローを示すフローチャートである。
【図６】図６（ａ）は、低μ路で設定されるマップを示す図である。図６（ｂ）は、中間μの路面で設定されるマップを示す図である。図６（ｃ）は、ドライ路面で設定されるマップを示す図である。
【図７】図７は、油圧ブレーキ装置について前輪と後輪との制動力分配比が固定されている例を説明するための図である。
【図８】図８は、図７に示す油圧ブレーキ装置を用いる場合に使用するマップの一例を示す図である。
【発明を実施するための形態】
【００１５】
以下、図面を参照して、本発明の実施形態における車両の制動力制御装置について具体的に説明する。なお、本発明は、以下に説明する実施形態に限定されるものではない。
【００１６】
図１は、実施形態の車両を模式的に示すスケルトン図である。車両Ｖｅは、動力源としてモータ（ＭＧ）１を備える電動車両である。モータ１は、モータ機能と発電機能とを有するモータ・ジェネレータであり、インバータ２を介してバッテリ３と電気的に接続されている。バッテリ３の電力がインバータ２を介してモータ１に供給されることによってモータ１が駆動する。そして、モータ１から出力された動力は動力伝達装置のデファレンシャルギヤ機構４を介して左右の前輪１１Ｌ，１１Ｒに伝達される。つまり、車両Ｖｅは前輪駆動（ＦＷＤ）の電動車両である。モータ１とデファレンシャルギヤ機構４との間の動力伝達経路には変速機などの動力伝達装置が設けられてもよい。
【００１７】
インバータ２は、バッテリ３からの直流電力を交流電力に変換してモータ１に供給する電力変換装置である。このインバータ２が電子制御装置（以下、ＥＣＵという）５に制御されることによってモータ１が制御される。バッテリ３は、二次電池により構成され、例えばモータ１で発電した電力を蓄電することが可能な蓄電装置である。
【００１８】
ＥＣＵ５は、モータ１を駆動制御する電子制御装置によって構成される。このＥＣＵ５は、ＣＰＵと、各種プログラム等のデータが格納された記憶部と、モータ１を駆動制御するための各種の演算を行う演算処理部とを備える。
【００１９】
また、ＥＣＵ５には、図２に示すように、モータ１の回転数を検出するモータ回転数センサ３１や、車輪の車輪速を検出する車輪速センサ３２など、各種のセンサからの信号が入力される。左右の前輪１１Ｌ，１１Ｒおよび左右の後輪１２Ｌ，１２Ｒのそれぞれに車輪速センサ３２ａ，３２ｂ，３２ｃ，３２ｄが設けられている。例えば、モータ回転数センサ３１からＥＣＵ５にレゾルバ信号が入力されると、ＥＣＵ５はレゾルバ信号に基づいてモータ１の回転数（モータ回転数）を算出する。また、車輪速センサ３２からＥＣＵ５に車輪速が入力されると、ＥＣＵ５は車輪速に基づいて車両Ｖｅの車速を算出する。さらに、ＥＣＵ５に入力される信号には、シフトレバーの操作位置を検出するシフトポジションセンサからのシフトポジションや、アクセルペダルの踏み込み量を検出するアクセルペダルポジションセンサからのアクセル開度や、ブレーキペダルの踏み込み量を検出するブレーキペダルポジションセンサからのブレーキペダルポジションなどが含まれる。
【００２０】
車両Ｖｅは、回生ブレーキ装置と、油圧ブレーキ装置と、を搭載している。回生ブレーキ装置は、左右の前輪１１Ｌ，１１Ｒに連結されたモータ１を含んで構成されており、モータ１を発電機として機能させる際に生じる制動力（回生制動力）を駆動輪に付与するように構成されている。回生制動力は前輪１１Ｌ，１１Ｒにのみ付与される制動力である。また、油圧ブレーキ装置は、車輪と一体回転するブレーキディスクと、ブレーキディスクに摩擦接触するブレーキパッドとを含んで構成される。この油圧ブレーキ装置では、油圧によって発生する制動力（油圧制動力）を車輪に付与するように構成されている。油圧制動力は全部の車輪１１Ｌ，１１Ｒ，１２Ｌ，１２Ｒに付与される制動力である。
【００２１】
図１に示すように、油圧ブレーキ装置は、左の前輪１１Ｌに制動力を付与する油圧ブレーキ装置２１Ｌと、右の前輪１１Ｒに制動力を付与する油圧ブレーキ装置２１Ｒと、左の後輪１２Ｌに制動力を付与する油圧ブレーキ装置２２Ｌと、右の後輪１２Ｒに制動力を付与する油圧ブレーキ装置２２Ｒと、を含む。各油圧ブレーキ装置２１Ｌ，２１Ｒ，２２Ｌ，２２Ｒには、ブレーキアクチュエータ６が接続されている。ブレーキアクチュエータ６から各油圧ブレーキ装置２１Ｌ，２１Ｒ，２２Ｌ，２２Ｒに油圧（ブレーキ油圧）が供給される。このブレーキアクチュエータ６はＥＣＵ５によって制御される。
【００２２】
図２に示すように、ＥＣＵ５は、路面μ推定部５ａと、ブレーキ配分算出部５ｂと、を有する。路面μ推定部５ａは、走行中に路面の抵抗（μ）を推定する。ブレーキ配分算出部５ｂは、路面抵抗（路面μ）に応じて、回生制動力と油圧制動力との配分を算出する。
【００２３】
路面μ推定部５ａは、路面と車輪との間のスリップ率を算出し、路面状態の判定する処理部である。例えば、路面μ推定部５ａは、車輪速とモータ回転数との回転数差に基づいて、車輪がスリップ状態であることを判定する。車両Ｖｅは前輪駆動であるため、走行中に制動要求がある場合に、駆動輪である前輪１１Ｌ，１１Ｒが回転停止（ロック）する際の制動力をフロントロック限界（Ｆｒロック限界）という。つまり、路面μ推定部５ａでは、路面μに応じてフロントロック限界を算出することができる。
【００２４】
ブレーキ配分算出部５ｂは、車輪に付与する制動力について、フロントロック限界に基づいて、油圧ブレーキ装置による油圧制動力と回生ブレーキ装置による回生制動力との配分を算出する。例えば、ブレーキ配分算出部５ｂは、要求減速度とブレーキ配分との関係を示すマップを用いて、回生制動力と油圧制動力との配分を設定する。このマップは、通常の路面μとなる状態（ドライ路面）でのフロントロック限界に設定された第１マップとしての基準マップと、路面μが低く滑りやすい状態（低μ路）を走行する場合でのフロントロック限界に設定された第２マップとしての配分変更後の低μ路用マップとが、含まれる。これらのマップはＥＣＵ５の記憶部に複数記憶されている。
【００２５】
図３は、フロントロック限界が高く設定されている基準マップを示す図である。図３に示すように、基準マップでは、路面抵抗が高いドライ路面を減速走行する際に用いるマップであるため、フロントロック限界が高く設定されている。このフロントロック限界は、要求減速度に対する閾値として設定されている。ＥＣＵ５は、路面抵抗に応じて、この閾値の大きさ（回生制動力の上限値）を変更する可変手段を含んで構成される。そして、要求減速度がフロントロック限界よりも小さい場合には、その要求減速度は回生制動力のみによって満たすことができる。フロントロック限界とは、回生制動力の上限値のことである。ドライ路面を減速走行する場合には、この図３に示すマップが参照され、相対的に大きな減速トルク（要求減速度）となるフロントロック限界まで回生制動力のみで対応することが可能になる。そして、要求減速度がフロントロック限界よりも大きい場合には、回生制動力のみではスリップする虞があるため、回生制動力および油圧制動力が発生する。なお、この説明では、要求減速度を減速トルクとみなして説明する。
【００２６】
図４は、フロントロック限界が低く設定されている低μ路用マップを示す図である。図４に示すように、低μ路用マップでは、路面抵抗が低い低μ路を減速走行する際に用いるマップであるため、フロントロック限界は、ドライ路面の場合のフロントロック限界に比べて低い値に設定されている。低μ路を減速走行する場合には、この図４に示すマップが参照され、相対的に小さな減速トルクのフロントロック限界で、回生制動力と油圧制動力とが発生させられる。つまり、通常の基準マップでは回生制動力のみしか発生していない領域であっても、低μ路用マップでは油圧制動力を発生させる領域となっている。そして、制動力が大きくなるにつれて、回生制動力の大きさがフロントロック限界（上限値）で一定に保たれた状態で、油圧制動力が大きくなるように制御される。つまり、ＥＣＵ５は、要求制動力がフロントロック限界を超えた場合には、回生制動力の割合を小さくして、油圧制動力の割合を大きくするように制動力制御を実行する。
【００２７】
ここで、図５を参照して、制動力制御フローについて説明する。図５は、制動力制御フローの一例を示すフローチャートである。なお、図５に示す制御はＥＣＵ５によって実行される。
【００２８】
ＥＣＵ５は、車輪速と、モータ回転数とを取得する（ステップＳ１）。ステップＳ１では、車輪速センサ３２からの車輪速と、モータ回転数センサ３１からのモータ回転数とが、ＥＣＵ５に入力されている。
【００２９】
ＥＣＵ５は、路面μを推定する（ステップＳ２）。ステップＳ２では、ＥＣＵ５の路面μ推定部５ａによって走行中に路面μが常に推定されている。
【００３０】
ＥＣＵ５は、推定された路面μを用いてフロントロック限界（Ｆｒロック限界）を算出する（ステップＳ３）。ステップＳ３では、モータ回転数と車速との回転数差を用いてフロントロック限界を算出することができる。なお、このフロントロック限界の算出方法は周知の算出方法を用いてよい。
【００３１】
ＥＣＵ５は、フロントロック限界が所定値αよりも小さいか否かを判定する（ステップＳ４）。ステップＳ４では、ステップＳ３で算出されたフロントロック限界と所定値αとを比較する。所定値αは予め設定された値である。
【００３２】
フロントロック限界が所定値α以上である場合（ステップＳ４：Ｎｏ）、ＥＣＵ５は、回生／油圧ブレーキ配分マップとして、基準マップを選択する（ステップＳ５）。ステップＳ５では、上述した図３に例示するような、ドライ路面を想定したマップが設定される。このステップＳ５が実施されると、制御ルーチンは後述するステップＳ７に進む。
【００３３】
フロントロック限界が所定値αよりも小さい場合（ステップＳ４：Ｙｅｓ）、ＥＣＵ５は、回生／油圧ブレーキ配分マップとして、低μ路用マップを選択する（ステップＳ６）。ステップＳ６では、上述した図４に例示するような、低μ路を想定したマップが設定される。
【００３４】
そして、ＥＣＵ５は、要求減速度を取得する（ステップＳ７）。ステップＳ７では、走行中に運転者によるブレーキペダルの踏み込みがあることを検出し、このブレーキペダル操作量に応じた要求減速度が算出される。
【００３５】
ＥＣＵ５は、ステップＳ７で算出した要求減速度と、ステップＳ５またはステップＳ６で選択した回生／油圧ブレーキ配分マップとに基づいて、回生ブレーキ装置による回生制動力、前輪１１Ｌ，１１Ｒに付与する油圧制動力、後輪１２Ｌ，１２Ｒに付与する油圧制動力を算出する（ステップＳ８）。ステップＳ８では、ＥＣＵ５のブレーキ配分算出部５ｂによって回生制動力と油圧制動力との配分が算出される。
【００３６】
ＥＣＵ５は、回生制動力による油圧制動制御と、油圧制動力による油圧制動制御とによる協調制御を実行する（ステップＳ９）。ステップＳ９では、ステップＳ８で算出された回生制動力と油圧制動力との配分に基づいて回生ブレーキ装置と油圧ブレーキ装置とが協調制御される。
【００３７】
そして、ＥＣＵ５は、制動制御を終了する（ステップＳ１０）。ステップＳ１０により車両Ｖｅの制動が終了される。
【００３８】
制動終了後、ＥＣＵ５は、回生／油圧ブレーキ配分マップを基準マップに戻す（ステップＳ１１）。
【００３９】
以上説明した通り、実施形態における車両Ｖｅの制動力制御装置によれば、減速走行中の路面抵抗の大きさに応じて、フロントロック限界を可変に制御することにより、電費および燃費を向上させるとともに、低μ路での走行安定性を確保することができる。
【００４０】
なお、上述した図５に示す制御フローでは、ステップＳ４〜Ｓ６において、フロントロック限界と所定値αとの比較によって二つのマップからいずれか一方のマップを選択したが、本発明はこれに限定されない。例えば、ＥＣＵ５は、上述したステップＳ４〜Ｓ６に相当する処理手段の代わりに、所定値αとの比較なしに、フロントロック限界を引数として、回生／油圧ブレーキ配分マップを選択する処理手段を有してもよい。一例として、図６に示すように、三つのマップのから適切なマップを選択することができる。フロントロック限界が小さい場合には、図６（ａ）に示すように、低μ路用マップを選択する。フロントロック限界が中間程度の大きさの場合には、図６（ｂ）に示すように、中間の大きさのマップを選択する。フロントロック限界が大きい場合には、図６（ｃ）に示すように、路面抵抗が大きいドライ路面を想定したマップを選択する。
【００４１】
また、油圧ブレーキ装置は、油圧制動力について前輪１１Ｌ，１１Ｒと後輪１２Ｌ，１２Ｒとの分配比が固定されている油圧回路を有する構成であってもよい。図７は、油圧ブレーキ装置について前輪１１Ｌ，１１Ｒと後輪１２Ｌ，１２Ｒとの制動力分配比が固定されている例を説明するための図である。図８は、図７に示す油圧ブレーキ装置を用いる場合に使用するマップの一例を示す図である。
【００４２】
図７に示すように、ブレーキアクチュエータ６は、前後油圧の分配比（α：β）が固定された油圧回路を有する。オイルポンプ６１から出力されたオイルは、調圧部６２を介して前輪１１Ｌ，１１Ｒの油圧ブレーキ装置２１Ｌ，２１Ｒと後輪１２Ｌ，１２Ｒの油圧ブレーキ装置２２Ｌ，２２Ｒとに供給される。調圧部６２によって調圧された油圧は、前輪側の油圧と後輪側の油圧との分配比がα：βに固定された状態で各車輪のホイールシリンダに供給される。また、オイルポンプ６１からの油圧はアキュムレータ（ＡＣＣ）６３に蓄圧される。
【００４３】
図８に示すように、フロントロック限界に到達して回生制動力が上限値に到達すると、油圧制動力と回生制動力とを両方とも発生させる。この際、前輪１１Ｌ，１１Ｒに油圧制動力を付与しようとすると、必然的に後輪１２Ｌ，１２Ｒにも油圧制動力が付与される構成であるため、油圧制動力が増加したことに伴い、回生制動力を減らすように制御する。そのため、フロントロック限界よりも大きい要求制動力となる場合には、回生制動力は上限値よりも小さくなるように変化する。
【００４４】
以上説明した通り、実施形態の制動力制御装置によれば、車両Ｖｅが街中を走行するような日常域での減速エネルギーを回生ブレーキ装置によって効果的に回収することができるとともに、低μ路での走行安定性を確保することができる。
【００４５】
なお、本発明は、前輪駆動に限らず、後輪駆動、あるいは四輪駆動であってもよい。要するに、本発明が対象とする車両は、回生ブレーキとして機能するモータが、前輪１１Ｌ，１１Ｒまたは後輪１２Ｌ，１２Ｒのうちの少なくともいずれか一方に設けられている車両であればよい。さらに、本発明を適用可能な車両は、電動車両（ＥＶ）に限らず、ハイブリッド車両（ＨＶ、ＰＨＶ）であってもよい。
【符号の説明】
【００４６】
１  モータ（ＭＧ）
２  インバータ
３  バッテリ
５  ＥＣＵ
６  ブレーキアクチュエータ
１１Ｌ，１１Ｒ  前輪
１２Ｌ，１２Ｒ  後輪
２１Ｌ，２１Ｒ，２２Ｌ，２２Ｒ  油圧ブレーキ装置
３１  モータ回転数センサ
３２  車輪速センサ
【図１】
2020111245.tif 000003
【図２】
2020111245.tif 000004
【図３】
2020111245.tif 000005
【図４】
2020111245.tif 000006
【図５】
2020111245.tif 000007
【図６】
2020111245.tif 000008
【図７】
2020111245.tif 000009
【図８】
2020111245.tif 000010